(57)【要約】      （修正有）【課題】電力を発電する供給設備が電力の消費先である需要家を指定できる電力管理システムを提供する。【解決手段】制御サーバ２０３で供給設備２０１の電力の需給契約番号と供給設備ＩＤを１対１で対応付けして管理し、該対応付が作成された日時も登録日として保持する。供給設備は発電した電力をあらかじめ設定された比率、最大供給量、期間に応じて特定の需要家２０２に供給することにより、供給設備が電力を供給したい需要家に発電した電力を供給する。供給情報は、供給情報登録部２３３から制御サーバに送信することで利用者の意図した任意のタイミングで変更することを可能とする。【選択図】図２
2013046534.tif 000002
【特許請求の範囲】
【請求項１】
需要家側の装置に電力を供給する供給設備装置と、電力の需給情報を管理する制御サーバからなる電力情報管理システムであって、
制御サーバは、
供給設備装置と通信可能な通信部と、
供給設備装置を特定する固有情報と1対1に対応する供給設備装置ＩＤを保持する第1の保存部と、
需要家側の装置を特定する固有情報と1対1に対応する需要家側装置ＩＤを保持する第２の保存部と、
供給設備装置ＩＤと、需要家側装置ＩＤと、供給設備装置から需要家側の装置に供給される電力量に関する情報とで構成されるテーブルを保持する第３の保存部と、
制御部と、
を備え、
供給設備装置は、
制御サーバと通信可能な通信部と、
自装置の供給設備装置ＩＤを保持する保存部と、
前記需要家側装置ＩＤに対応する需要家側の装置に供給する電力量に関する情報を入力する入力部と、
制御部と、
を備え、
前記供給設備装置の制御部は、前記通信部において、制御サーバから需要家側装置ＩＤを受信させ、制御サーバに前記入力部で入力される該需要家側装置ＩＤに対する電力量に関する情報を該需要家側装置ＩＤ及び供給設備装置ＩＤとともに送信させ、
前記制御サーバの制御部は、前記通信部で、送信された需要家側装置ＩＤ、供給設備装置ＩＤ及び電力量に関する情報を受信させ、これらを第３の保存部に保持させることを特徴とする電力情報管理システム。
【請求項２】
前記電力量に関する情報は、複数の需要家のうちの1つの需要家における電力の供給比率、電力の最大供給量、電力の供給開始日、あるいは、電力の供給終了日であることを特徴とする請求項1に記載の電力情報管理システム。
【請求項３】
前記制御サーバの制御部は、供給設備装置ＩＤと、需要家側装置ＩＤと、供給設備装置から需要家側の装置に供給される電力量に関する情報を用いたカレンダーを作成し、通信部で、供給設備装置に送信させ、
前記供給設備装置は、さらに表示部を備え、
前記供給設備装置の制御部は、通信部で、前記カレンダーを受信させ、当該カレンダーを表示部で表示させることを特徴とする請求項1に記載の電力情報管理システム。
【発明の詳細な説明】
【技術分野】
【０００１】
本発明は、電力情報管理システムに関する。
【背景技術】
【０００２】
本技術分野の背景技術を開示するものとして、特開２００２−３０４４４３号公報(特許文献1)がある。この公報には、「電力仲介者の電力の仕入先売電者と販売先需要家の決定を支援する電力売買契約支援装置であって、需要家の電力需要量および需要家への販売価格を記録した需要家データベース１と、売電者の電力供給量および売電者からの仕入価格を記録した売電者データベース２と、前記２つのデータベースから、指定された評価基準を満たす販売先需要家と仕入先売電者の組合せを解析的に求める組合せ手段３と、前記組合せ手段で求めた組合せ解を表示する情報表示手段４とを備えた。」と記載されている(要約参照)。
【先行技術文献】
【特許文献】
【０００３】
【特許文献１】特開２００２−３０４４４３号公報
【発明の概要】
【発明が解決しようとする課題】
【０００４】
背景技術に記載した従来技術では、売電者および発電者である供給設備と電力を消費する需要家との組み合わせを算出することはできるが、供給設備が特定の意図した需要家に電力を供給する組み合わせを算出するための手段については考慮されておらず、供給設備が特定の需要家に電力を供給することができないという問題があった。
【課題を解決するための手段】
【０００５】
上記の課題を解決するために、その一例として特許請求の範囲に記載の構成を採用する。
【発明の効果】
【０００６】
本発明によれば、電力を発電する供給設備が電力の消費先である需要家を指定することで、供給設備の意思を反映した電力の需給システムが構築可能であり、その需給システムをベースとした様々なサービスやシステムを提供することができる。
【図面の簡単な説明】
【０００７】
【図１】本発明の概要を示す図である。
【図２】本発明のシステム構成を示す図である。
【図３】本発明の制御サーバの供給設備登録情報を示す図である。
【図４】本発明の供給設備-制御サーバ間の供給設備情報登録フローである。
【図５】本発明の需要家の需要家情報を示す図である。
【図６】本発明の制御サーバの需要家登録情報を示す図である。
【図７】本発明の需要家-制御サーバ間の需要家情報登録フローである。
【図８】本発明の供給設備-制御サーバ間の需要家情報取得フローである。
【図９】本発明の供給設定情報を示す図である。
【図１０】本発明の供給カレンダーを示す図である。
【図１１】本発明の供給設備-制御サーバ間の供給情報登録フローである。
【図１２】本発明の需給実績算出フローである。
【図１３】本発明の需給実績を示す図である。
【発明を実施するための形態】
【０００８】
以下に本発明を実施するための形態を説明する。
【実施例１】
【０００９】
本実施例では、電力を発電する供給設備が電力の消費先である需要家を指定できる電力情報管理システムの例について、図１ないし図１３を用いて説明する。
【００１０】
図１は電力情報管理システムのシステム概要を示す図であり、図２は本実施例のシステム構成を示す図であり、図３は制御サーバの供給設備登録情報を示す図であり、図４は供給設備-制御サーバ間の供給設備情報登録フローであり、図５は需要家の需要家情報を示す図であり、図６は制御サーバの需要家登録情報を示す図であり、図７は需要家-制御サーバ間の需要家情報登録フローであり、図８は供給設備-制御サーバ間の需要家情報取得フローであり、図９は供給設定情報を示す図であり、図１０は供給カレンダーを示す図であり、図１１は供給設備-制御サーバ間の供給情報登録フローであり、図１２は需給実績算出フローであり、図１３は需給実績を示す図である。
【００１１】
図１において、１０１，１０２は発電設備を保持し、発電した電力を供給可能な供給設備Aと供給設備Bである。発電設備とは太陽光発電、風力発電、水力発電、火力発電、原子力発電等の電力を発電可能な設備である。１０３，１０４は電力を消費する需要家Aと需要家Bであり、個人住宅、会社や飲食店等の商業施設、学校や病院等の公共施設等がこれに該当する。１０５は電力の供給量情報と消費量情報を管理し、供給設備と供給設備が指定した需要家との組み合わせにおける電力の需給情報の管理を行う制御サーバである。１０６は発電された電力の買取りや需要家への売電を管理する電力会社である。供給設備および需要家は制御サーバとネットワーク０１で接続され、情報の送受信を行うことができる。供給設備および需要家は電力会社と電力系統０２で接続され、電力の授受を行うことができる。
【００１２】
図２において、２０１は供給設備A１０１および供給設備B１０２の具体的な構成例を示し、２０２は需要家A１０３および需要家B１０４の具体的な構成例を示し、２０３は制御サーバ１０５の具体的な構成例を示している。
【００１３】
供給設備２０１において、２０５は供給設備２０１に関する情報の表示や入力等を行うための供給設備情報端末である。具体的には供給設備内に設置された専用端末やパソコン、移動可能な携帯端末等がこれにあたる。供給設備情報端末２０５はネットワーク０１に接続され、制御サーバ２０３との通信を行う。２０６は供給設備２０１内に設置された供給設備固定装置であり、電力を発電する発電装置２０７と発電された電力量を算出する供給電力メータ２０８と供給電力メータ２０８で算出された電力量を制御サーバ２０３に送信する通信装置２０９で構成される。供給電力メータ２０８により算出された電力は電力系統０２を通して電力会社に供給される。
【００１４】
需要家２０２において、２１０は需要家２０２に関する情報の表示や入力等を行うための需要家情報端末である。具体的には需要家設備内に設置された専用端末やパソコン、移動可能な携帯端末等がこれにあたる。需要家情報端末２１０はネットワーク０１に接続され、制御サーバ２０３と通信を行う。２１１は需要家２０２内に設置された需要家固定装置であり、消費された電力量を算出する需要電力メータ２１２と需要電力メータ２１２で算出された電力量を制御サーバ２０３に送信する通信装置２１３で構成される。需要家２０２で消費される電力は電力系統０２を通して電力会社から供給される。
【００１５】
供給設備情報端末２０５において、２１４は制御サーバ２０３に送信する情報を入力するための入力装置であり、具体的にはタッチパネルやボタン等がこれにあたる。２１５は制御サーバ２０３から受信した情報や供給設備情報端末２０５内の情報を表示するための表示装置であり、具体的には液晶パネル等がこれにあたる。２１６は制御サーバ２０３に送信する情報や制御サーバ２０３から受信した情報を保存する記憶装置であり、具体的にはハードディスクやフラッシュメモリ等がこれにあたる。２１７は供給設備情報端末２０５が制御サーバ２０３との通信を行う通信部である。２１８は供給設備情報端末２０５内の各装置や各処理部との情報の入出力や処理命令を行う制御部である。
【００１６】
制御サーバ２０３において、２１９は供給設備情報端末２０５や需要家情報端末２１０から送信された情報や制御サーバ２０３内で処理された情報の保存を行う記憶装置であり、具体的にはハードディスクやフラッシュメモリ等がこれにあたる。２２０は供給設備情報端末２０５や供給設備固定装置２０６や需要家情報端末２１０や需要家固定装置２１１との通信を行う通信部である。２２１は制御サーバ２０３内の各装置や各処理部との情報の入出力や処理命令を行う制御部である。
【００１７】
需要家情報端末２１０において、２２２は制御サーバ２０３に送信する情報を入力するための入力装置であり、具体的にはタッチパネルやボタン等がこれにあたる。２２３は制御サーバ２０３から受信した情報や需要家情報端末２１０内の情報を表示するための表示装置であり、具体的には液晶パネル等がこれにあたる。２２４は制御サーバ２０３に送信する情報や制御サーバ２０３から受信した情報を保存する記憶装置であり、具体的にはハードディスクやフラッシュメモリ等がこれにあたる。２２５は需要家情報端末２１０が制御サーバ２０３との通信を行う通信部である。２２６は需要家情報端末２１０内の各装置や各処理部との情報の入出力や処理命令を行う制御部である。
【００１８】
供給設備２０１が電力会社１０６と電気供給の契約を結んでいる場合、お客様番号のような、供給設備２０１を一意に特定できる番号が割り振られている。本発明ではこのお客様番号を需給契約番号とする。需要家２０２も同様に、電力会社１０６との電気供給の契約により需給契約番号が割り振られている。需給契約番号は電力会社１０６が管理する番号であり、個人情報保護の観点からも、制御サーバ２０３では需給契約番号と1対1に対応するID情報を用いて供給設備２０１や需要家２０２を管理する。本発明では供給設備２０１を一意に特定するためのID情報を供給設備ID、需要家２０２を一意に特定するためのID情報を需要家IDとする。２２７から２３５については、追って詳細を説明する。
【００１９】
図３は、制御サーバ２０３が保持している供給設備登録情報であり、供給設備２０１の需給契約番号と供給設備IDが1対1に対応付けられ管理されている。この対応付けが作成された日時も登録日として保持される。図２において、２２７は供給設備２０１の需給契約番号を制御サーバ２０３に登録する供給設備情報登録部であり、２２８は供給設備情報端末２０５から送信された需給契約番号に1対1に対応するIDを生成し、供給設備IDとして割り振り、記憶装置２１９に保存する供給設備情報保存部である。供給設備登録情報の作成手順について図４のフローを用いて説明する。
【００２０】
図４において、供給設備情報端末２０５の供給設備情報登録部２２７は入力装置２１４に需給契約番号が入力されるのを待ち受ける( ステップ４０１)。入力装置２１４に需給契約番号が入力される( ステップ４０２) 。供給設備２０１のユーザから入力装置２１４に需給契約番号が入力されると、供給設備情報登録部２２７は通信部２１７経由で需給契約番号を制御サーバ２０３に送信する(ステップ４０３)。制御サーバ２０３の通信部２２０は供給設備情報端末２０５から送信された需給契約番号を受信する(ステップ４０４)。受信した需給契約番号に対する供給設備IDが既に割り振られているかどうかを供給設備情報保存部２２８は判定する（ステップ４０５）。需給契約番号に、既に、供給設備IDが割り振られている場合には、既に供給設備登録情報が登録済みであるため、登録されている供給設備登録情報を通信部２２０経由で供給設備情報端末２０５に送信する（ステップ４０７）。需給契約番号に、まだ、供給設備IDが割り振られていない場合は、新規登録であるため、供給設備情報保存部２２８は供給設備IDを割り振り、供給設備登録情報として記憶装置２１９に保存する(ステップ４０６)。供給設備情報保存部２２８は供給設備登録情報を通信部２２０経由で供給設備情報端末２０５に送信する（ステップ４０７）。供給設備情報端末２０５の通信部２１７は制御サーバ２０３から送信された供給設備登録情報を受信する(ステップ４０８)。供給設備情報登録部２２７は制御サーバ２０３から受信した供給設備登録情報を記憶装置２１６に保存する(ステップ４０９) 。供給設備情報登録部２２７は表示装置２１５に供給設備登録情報を表示する（ステップ４１０）。これにより、供給設備２０１を一意に特定するための供給設備登録情報が制御サーバ２０３上に保持される。
【００２１】
図５は、需要家２０２が制御サーバ２０３に登録する需要家設定情報であり、需要家２０２の需給契約番号と、複数の需要家２０２をまとめて１つのグループとして設定するための需要家グループIDと、需要家２０２毎に任意の文字列を設定するための需要家名を持つ。需要家名の具体例としては、飲食店の店舗名、小学校名、会社名、施設名等が挙げられる。
【００２２】
図６は、制御サーバ２０３が保持している需要家登録情報であり、需要家２０２の需要家設定情報と需要家IDが１対１に対応付けられ管理されている。図２において、２２９は需要家情報端末２１０が需要家設定情報を制御サーバ２０３に登録する需要家情報登録部であり、２３０は需要家情報端末２１０から送信された需要家設定情報を基に、需要家IDを割り振り記憶装置２２４に保存する需要家情報保存部である。需要家登録情報の作成手順について図７のフローを用いて説明する。
【００２３】
図７において、需要家情報端末２１０の需要家情報登録部２２９は入力装置２２２に需要家設定情報が入力されるのを待ち受ける(ステップ７０１)。需要家２０２のユーザから入力装置２２２に需要家設定情報が入力される(ステップ７０２)。入力装置２２２に需要家設定情報が入力されると、需要家情報登録部２２９は通信部２２５経由で需要家設定情報を制御サーバ２０３に送信する(ステップ７０３)。制御サーバ２０３の通信部２２０は需要家情報端末２１０から送信された需要家設定情報を受信する(ステップ７０４)。受信した需要家設定情報に対する需要家IDが既に割り振られているかどうかを需要家情報保存部２３０は判定する(ステップ７０５)。需要家登録情報に、既に、需要家IDが割り振られている場合には、既に需要家登録情報が登録済みであるため、登録されている需要家登録情報を通信部２２０経由で需要家情報端末２１０に送信する(ステップ７０７)。需要家設定情報に、また、需要家設備IDが割り振られていない場合は、新規登録であるため、需要家情報保存部２３０は需要家IDを割り振り、需要家登録情報として記憶装置２１９に保存する（ステップ７０６)。需要家情報保存部２３０は需要家登録情報を通信部２２０経由で需要家情報端末２１０に送信する(ステップ７０７)。需要家情報端末２１０の通信部２２５は制御サーバ２０３から送信された需要家登録情報を受信する（ステップ７０８)。需要家情報登録部２２９は制御サーバ２０３から受信した需要家登録情報を記憶装置２２４に保存する(ステップ７０９)。需要家情報登録部２２９は表示装置２２３に需要家登録情報を表示する(ステップ７１０)。これにより、需要家２０２を一意に特定するための需要家登録情報が制御サーバ２０３上に保持される。
【００２４】
供給設備２０１が発電した電力の供給先を指定するには、どのような需要家が供給先として指定できるのかを決定する必要がある。供給先の候補である需要家は制御サーバ２０３の記憶装置２１９に需要家登録情報として保存されているため、制御サーバ２０３から需要家登録情報を取得する必要がある。図２において、２３１は供給設備情報端末２０５が制御サーバ２０３から需要家登録情報を取得する需要家情報取得部であり、２３２は制御サーバ２０３の記憶装置２１９に保存された需要家登録を取得し供給設備情報端末２０５に送信する需要家情報提供部である。供給設備情報端末２０５が制御サーバ２０３から需要家登録情報を取得する方法について図８のフローを用いて説明する。
【００２５】
図８において、供給設備情報端末２０５の需要家情報取得部２３１は入力装置２１４に需要家登録情報取得要求が入力されるのを待ち受ける(ステップ８０１)。供給設備２０１のユーザから入力装置２１４に需要家登録情報取得要求が入力される(ステップ８０２)。入力装置２１４に需要家登録情報取得要求が入力されると、需要家情報取得部２３１は通信装置２１７経由で制御サーバに需要家登録情報取得要求を送信する(ステップ８０３)。需要家登録情報取得要求では、制御サーバ２０３に登録されている全需要家IDを取得する方法や、需要家IDまたはグループIDを指定した方法や、需要家名の一部または全部を示す文字列が指定する方法等が挙げられる。制御サーバ２０３の通信部２２０は供給設備情報端末２０５から送信された需要家登録情報取得要求を受信する(ステップ８０４)。需要家情報提供部２３２は需要家登録情報取得要求の内容に該当する需要家登録情報を記憶装置２１９から取得する(ステップ８０５)。需要家登録情報取得要求に全需要家IDが指定されている場合は、全需要家IDを取得し、グループIDが指定されている場合は、そのグループIDの全需要家IDを取得し、需要家名の一部または全部を示す文字列が指定されている場合は、その文字列を含む需要家IDを取得する。需要家情報提供部２３２はステップ８０５から需要家登録情報が１件以上取得できたか判定する(ステップ８０６)。１件以上の需要家登録情報が取得できた場合、需要家情報提供部２３２は通信部２２０経由で取得した需要家登録情報を供給設備情報端末２０５に送信する(ステップ８０７)。需要家登録情報が０件の場合は、登録されている需要家登録情報が無いため、需要家登録情報無しの情報を通信部２２０経由で供給設備情報端末２０５に送信する(ステップ８０８)。供給設備情報端末２０５の通信部２１７は制御サーバ２０３から１件以上の需要家登録情報を受信する(ステップ８０９)。１件以上の需要家登録情報を受信した場合、需要家情報取得部２３１は記憶装置２１６に需要家登録情報を保存する(ステップ８１０)。需要家情報取得部２３１は取得した需要家登録情報の一部または全部を表示措置２１５に表示する(ステップ８１１)。制御サーバ２０３から需要家登録情報無しの情報を供給設備情報端末２０５の通信部２１７が受信した場合(ステップ８１２)、供給先として指定できる需要家が無い事を、需要家情報取得部２３１は表示措置２１５に表示する(ステップ８１３)。これにより供給設備２０１のユーザは発電した電力の供給先である需要家の候補を取得することができ、この中から供給先を指定することができる。
【００２６】
供給設備２０１のユーザは需要家情報取得部２３１で取得した需要家の一覧から、実際に発電した電力の供給先を指定し、制御サーバ２０３に登録する。図２において、２３３は供給設備２０１で発電した電力の供給先である需要家に対してどれだけの電力を供給するかという情報が設定された供給情報を制御サーバに登録する供給情報登録部であり、２３４は供給設備情報端末２０５から受信した供給情報を記憶装置２１９に保存する供給情報保存部である。供給設備情報端末２０５が制御サーバ２０３に供給情報を登録する方法について図９ないし図１１を用いて説明する。
【００２７】
図９は、供給設備情報端末２０５により設定される供給情報である。電力の供給元である供給設備IDと電力の供給先である需要家IDとの組み合わせが設定される。供給設備２０１で発電された電力のうち何パーセントの電力をどの需要家に供給するかを設定する供給比率が設定できる。需要家毎に最大の電力供給量を設定する最大供給量が設定できる。具体的な使用例として、供給比率により分配された電力量が最大供給量を超える場合は最大供給量の電力が需要家に供給されたと制御サーバ２０３は算出する。最大供給量を設定しない場合は、供給設備２０１が供給可能な電力量は供給比率で分配された電力量となる。需要家毎にいつから供給を開始し、いつまで供給するかという供給の期間を設定する、供給開始日と供給終了日が設定できる。制御サーバ２０３は供給設備情報端末２０５から受信した供給情報を基に、どの供給設備からどの需要家にどれだけの電力を供給することができるのか判断するための供給カレンダーを作成する。供給カレンダーの例を図１０に示す。
【００２８】
図１０において、ある供給設備で供給日に発電した電力のうち、どれだけの供給比率で最大どれだけの電力をある需要家に供給するかが設定されている。例においては、供給設備IDがS001の供給設備は、2011/1/1に発電した電力のうちの40%または最大供給量10kWのいずれか低い方の電力量を需要家IDがD001の需要家に供給できるということを示している。
【００２９】
図１１において、ステップ８１１で表示された需要家登録情報の中から電力を供給したい需要家IDを1件選択する(ステップ１１０１)。この需要家IDに対して、供給比率、最大供給量、供給開始日、供給終了日を入力装置２１４から入力する(ステップ１１０２)。複数の需要家を供給先として指定したい場合に、まだ供給情報を設定していない需要家があるか判定する(ステップ１１０３)。ある場合はステップ１１０１、ステップ１１０２を繰り返し実行し、供給先として指定したい全需要家に対して供給情報の設定を行う。全需要家に対して供給情報を設定した場合、供給情報登録部２３３は供給比率の整合性確認を行う(ステップ１１０４)。全需要家に対する供給比率の合計が１００％を超える、つまり、発電した電力量より多い電力量を供給することはできないため、整合性の確認を行う。整合性が取れていない場合、ステップ１１０２で供給比率の再設定を行う。整合性が取れている場合、供給情報登録部２３３は通信部２１７経由で制御サーバに供給情報を送信する(ステップ１１０５)。制御サーバ２０３の通信部２２０は供給設備情報端末２０５から供給情報を受信する(ステップ１１０６)。供給情報を受信した制御サーバ２０３は、供給情報保存部２３４において、受信した供給情報を基に供給カレンダーを作成し、記憶装置２１９に保存する(ステップ１１０７)。制御サーバ２０３は供給カレンダーを登録したことを通信部２２０経由で供給設備情報端末２０５に送信する(ステップ１１０８)。供給設備情報端末２０５の通信部２１７は制御サーバから登録結果を受信する(ステップ１１０９)。供給情報登録部２３３は供給情報が制御サーバに登録されたことを表示装置２１５に表示する(ステップ１１１０)。
【００３０】
供給カレンダーに従って、制御サーバ２０３が供給設備２０１から供給された電力のうちどれだけの電力量を指定された需要家２０２に供給したかを実績として算出する方法について説明する。
【００３１】
２３５は、供給設備固定装置２０６の通信装置２０９から送信された供給電力量と需要家固定装置２１１の通信装置２１３から送信された消費電力量を制御サーバ２０３の通信装置２２０経由で定期的に取得し、記憶装置２１９に保存された供給カレンダーの情報を基に、どの供給設備からどれだけの電力がどの需要家に供給されたかを算出し、需給実績（図１３)として記憶装置２１９に保存する需給実績登録部である。
【００３２】
図１２は、制御サーバ２０３の需給実績登録部２３５により処理される需給実績算出フローである。需給実績登録部２３５は供給カレンダーに最大供給量が設定されているかを確認する(ステップ１２０１)。最大供給量が設定されていない場合、供給比率によって配分された後の電力の値に関わらず、需給実績として算出し、記憶装置２１９に保存する（ステップ１２０４）。最大供給量が設定されている場合、発電された電力が最大供給量を超えない範囲で需給実績を算出する。最大供給量を超える電力が供給可能な場合に最大供給量を超えた分の供給電力は最終余剰値として算出し(ステップ１２０２)、最終余剰値を記憶装置２１９に保存する(ステップ１２０３)。
【００３３】
図１３は図１２の需給実績算出フローによって算出された需給実績である。供給設備A１０１の2011/1/2における発電実績は12kWであるが、最大供給量が10kWに設定されているため、需給実績は10kWと算出され、最終余剰値が2kWと算出される。供給設備A１０１の2011/4/1における発電実績は10kWであり、需要家A１０３と需要家B１０４への供給比率は4対6に設定されているため、需給実績は需要家A１０３に4kW、需要家B１０４に6kWと算出される。供給設備A１０１の2011/4/2における発電実績は30kWであり、需要家A１０３への供給電力は40%の12kWであるが、最大供給量が10kWに設定されているため、需給実績は10kWと算出される。これに対し、需要家B１０４への需給電力は60%の18kWであり、最大供給量の20kWを超えていないため、需給実績は18kWと算出される。供給設備A１０１の2011/4/3における発電実績は40kWであり、どちらも最大供給量を超えているため、需給実績は需要家A１０３に10kW、需要家B１０４に20kW、最終余剰値が6kWと4kWの合計10kWと算出される。
【００３４】
上記処理により、需給契約番号に１対１で対応する供給設備IDと需要家IDを使用し、供給設備は発電した電力をあらかじめ設定された比率、最大供給量、期間に応じて、特定の需要家に供給することができる。これにより、供給設備が電力を供給したい需要家に発電した電力を供給することができ、供給設備の意思を反映した電力情報管理システムを構築することができる。このシステムが構築できることにより、発電した電力の使われ方の選択肢が広がることで発電設備の普及も期待できる。
【００３５】
なお、本実施例における、供給情報は利用者の意図した任意のタイミングで変更することが可能であり、供給情報登録部２３３から制御サーバ２０３に送信することで供給カレンダーを更新することができる。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【００３７】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３８】
１０１、１０２・・・供給設備A、供給設備B
１０３、１０４・・・需要家A、需要家B
１０５・・・制御サーバ
２２７・・・供給設備情報登録部
２２８・・・供給設備情報保存部
２３１・・・需要家情報取得部
２３３・・・供給情報登録部
【図１】
2013046534.tif 000003
【図２】
2013046534.tif 000004
【図３】
2013046534.tif 000005
【図４】
2013046534.tif 000006
【図５】
2013046534.tif 000007
【図６】
2013046534.tif 000008
【図７】
2013046534.tif 000009
【図８】
2013046534.tif 000010
【図９】
2013046534.tif 000011
【図１０】
2013046534.tif 000012
【図１１】
2013046534.tif 000013
【図１２】
2013046534.tif 000014
【図１３】
2013046534.tif 000015